(57)【要約】【課題】  パット練習の際の腰などへの負担を軽減して、練習時間を充分にとることが可能なパット練習用支持具を提供する。【解決手段】  パット練習支持具１は、練習者２がボール３をパター４で打つ前傾姿勢の上体を支持可能であり、一般的な室内の床面上や、練習場などの専用の場所など、いずれでも使用することができる。接触部材１１が練習者２の胸などの上体に接触すれば、パット練習支持具１は練習者２を下方から支持することができる。支持体１０は、練習者２のパット練習に必要な動作を妨げず、視界を遮らないように、ボール３やパター４の周囲に空間が確保されるように形成される。【選択図】  図１
2008264278.tif 000002
【特許請求の範囲】
【請求項１】
ゴルフのパットを練習する際に、練習者を支えるパット練習用支持具であって、
前傾姿勢をとる練習者の上体の少なくとも一部に、パット練習用の視界および動作を遮らないように接触して、前方下向きの荷重を支持可能な接触部材と、
接触部材を、パット練習用の視界および動作を遮らないように支持する支持体とを、
含むことを特徴とするパット練習用支持具。
【請求項２】
前記支持体が前記接触部材を支持する部分は、ボールジョイントを備え、支持する角度が変更可能であることを特徴とする請求項１記載のパット練習用支持具。
【請求項３】
前記支持体は、パット練習用のボールを載置する位置に対して間隔をあけて接地する複数の脚を有することを特徴とする請求項１または２記載のパット練習用支持具。
【発明の詳細な説明】
【技術分野】
【０００１】
本発明は、ゴルフのパットを練習する際に用いるパット練習用支持具に関する。
【背景技術】
【０００２】
従来から、ゴルフのパットを練習するための練習用具や練習機は多く提案されている。たとえば、実際のゴルフコースでパットを行うグリーンの傾斜や芝目を再現して室内や練習場で練習可能にする練習用具として、ゴルフ練習具（たとえば、特許文献１参照。）などが提案されている。また、パットの技術の練習として、アドレスを改善し方向性を高めるパッティング練習機（たとえば、特許文献２参照。）などが提案されている。
【０００３】
グリーンオンまでのショットを練習するための練習用具や練習機はさらに多く提案されている。アドレス及びスイングの熟知または姿勢矯正のためのゴルフ訓練器具も提案されている（たとえば、特許文献３参照。）。このゴルフ訓練器具は、ゴルファーの臀部を、公転と自転を起こすようにするサポートにもたれさせる。サポートされる臀部は、予め設定されるフォームでのアドレスとスイングとに対応する動きのみが許容されるので、サポートされての動作を繰り返して行えば、人体に適正な動作を記憶させることが期待される。
【特許文献１】特開平７−２３１９６３号公報
【特許文献２】特開２００１−５４６０６号公報
【特許文献３】特開２００５−２０５２１１号公報
【発明の開示】
【発明が解決しようとする課題】
【０００４】
ゴルフでは、予めレイアウトされたコースを、以下にストローク数を少なくして廻るかが競われる。パットは、ホールインワンやチップインなど、グリーンの外部から直接カップインする例外的な場合を除き、１つのホールで１回以上行われるけれども、その回数はできるだけ少なくすることが望ましい。実際のコースでパットの回数を少なくするためには、事前に多数回のパット練習を繰り返しておく必要がある。
【０００５】
しかしながら、パットは他のショットに比較して前傾した姿勢で打つ必要があるので、多数回の練習の繰り返しでは、前傾姿勢を保つ時間が長くなる。前傾姿勢を保つ時間が長くなると、腰などに負担がかかる。ゴルフ練習者が中高年になると、腰などへの負担で、充分な時間をかけての練習が困難になる。特許文献１や特許文献２のような練習用具や練習機も、練習者の負担の軽減を図ることについては何も考慮されていない。特許文献３のように臀部を支えても、パットの前傾姿勢での腰の負担を軽減することはできない。
【０００６】
本発明の目的は、パット練習の際の腰などへの負担を軽減して、練習時間を充分にとることが可能なパット練習用支持具を提供することである。
【課題を解決するための手段】
【０００７】
本発明は、ゴルフのパットを練習する際に、練習者を支えるパット練習用支持具であって、
前傾姿勢をとる練習者の上体の少なくとも一部に、パット練習用の視界および動作を遮らないように接触して、前方下向きの荷重を支持可能な接触部材と、
接触部材を、パット練習用の視界および動作を遮らないように支持する支持体とを、
含むことを特徴とするパット練習用支持具である。
【０００８】
また本発明で、前記支持体が前記接触部材を支持する部分は、ボールジョイントを備え、支持する角度が変更可能であることを特徴とする。
【０００９】
また本発明で、前記支持体は、パット練習用のボールを載置する位置に対して間隔をあけて接地する複数の脚を有することを特徴とする。
【発明の効果】
【００１０】
本発明によれば、ゴルフのパットを練習する際に、前傾姿勢をとる練習者が接触部材に上体の一部を接触させて、前方下向きの荷重を支持させれば、練習者の腰などへの負担を軽減することができる。接触部材は、パット練習用の視界および動作を遮らないように、支持体によって支持されるので、充分な時間をかけて練習を行うことが可能になる。
【００１１】
また本発明によれば、接触部材を支持体で支持する角度がボールジョイントで変更可能であるので、パットのスイング動作に合わせて、接触部材が練習者の上体を支える角度も変更することができ、円滑に練習を続けることができる。
【００１２】
また本発明によれば、ボールの周囲に支持体の脚を接地させて、パット練習時の練習者の上体を下方から支えることができる。
【発明を実施するための最良の形態】
【００１３】
図１は、本発明の実施の一形態としてのパット練習支持具１の概略的な構成を、典型的な使用状態とともに示す。（ａ）は練習者２の側面側から見た状態を示し、（ｂ）は練習者２の正面側から見た状態を示す。パットの練習者２は、パットを行う場合、（ａ）に示すような前傾姿勢を続ける。パット練習支持具１は、パットの練習を行う練習者２がボール３をパター４で打つ前傾姿勢の上体を支持可能である。パット練習支持具１を用いるパットの練習は、一般的な室内の床面上や、練習場などの専用の場所など、いずれでも行うことができる。もしも、実際のコースでの練習が許されるような場合は、パット練習支持具１を移動可能にしておけば、グリーン上での練習も可能である。
【００１４】
パット練習支持具１には、支持体１０と接触部材１１とが含まれる。支持体１０は、複数、たとえば４本の脚１２をボール３の周囲に接地させて、ボール３が載置される面上で確実に支持されるようにする。支持体１０の上部では、接触部材１１が支持体１０によって支持される。接触部材１１が練習者２の胸などの上体に接触すれば、パット練習支持具１は練習者２を下方から支持することができる。支持体１０は、練習者２のパット練習に必要な動作を妨げず、視界を遮らないように、ボール３やパター４の周囲に空間が確保されるように形成される。
【００１５】
図２は、パット練習支持具１の形状を示す。支持体１０は、金属、合成樹脂、木材などの構造材料で、強固かつ軽量に形成する。分解や折畳み可能にしておけば、移動が容易となる。脚１２の長さを調整可能にしておけば、練習者２の体格やパット練習を行う地形などに合わせることができる。
【００１６】
図３は、パット練習支持具１で支持体１０が接触部材１１を支持する部分の構成を示す。支持体１０の先端にはボールジョイント１３を設け、支持体１０が接触部材１１を支持する角度を変更可能にしておく。これによって、パットのスイング動作に合わせて、練習者２の上体が動いても、接触部材１１が練習者２の上体を支える角度も変化して追随することができ、円滑に練習を続けることができる。また、接触部材１１が練習者２の上体に接触する部分には、クッション性があるパッド１４を設け、人体への接触が柔軟に行われるようにしておく。
【００１７】
なお、支持体１０が接触部材１１を支持する部分を、ボールジョイント１３を用いて可動にしなくても、可撓性を持たせて支持すれば、練習者２の動きに追随して接触部材１１の支持角度を変化させることができる。支持体１０自体に可撓性を持たせ、練習者２の動きに併せて変形するようにしてもよい。パットの練習での動きは、あまり大きくはならないので、充分に追随可能にすることができる。
【００１８】
以上のようなパット練習支持具１は、支持体１０の脚１２の下端を練習を行う面上に接地させているけれども、下端を練習を行う面に差込むようにすれば、脚１２の本数を減らすこともできる。脚１２の本数は、接地するだけであるなら３本以上必要であるけれども、練習を行う面に差込めば、脚１２を２本以下に減らすこともできる。さらに、前方、側方、後方などから、アーム上の支持体を延して、接触部材１１を支持するようにすることもできる。また、上方から接触部材１１を支持することも可能である。
【００１９】
接触部材１１が練習者２の上体を支持する位置は、胸付近ばかりではなく、脇腹など、腰部よりも上方であればよい。
【図面の簡単な説明】
【００２０】
【図１】本発明の実施の一形態としてのパット練習支持具１の概略的な構成を、使用状態とともに示す側面図および正面図である。
【図２】図１のパット練習支持具１の構成を示す斜視図である。
【図３】図１のパット練習支持具１の支持体１０が接触部材１１を支持する部分の構成を示す側面図である。
【符号の説明】
【００２１】
１  パット練習支持具
１０  支持体
１１  接触部材
１２  脚
１３  ボールジョイント
１４  パッド
【図１】
2008264278.tif 000003
【図２】
2008264278.tif 000004
【図３】
2008264278.tif 000005
【手続補正書】
【提出日】平成19年8月4日(2007.8.4)
【手続補正１】
【補正対象書類名】特許請求の範囲
【補正対象項目名】全文
【補正方法】変更
【補正の内容】
【特許請求の範囲】
【請求項１】
ゴルフのパットを練習する際に、練習者を支えるパット練習用支持具であって、
前傾姿勢をとる練習者の上体の前面側の少なくとも一部に、パット練習用の視界および動作を遮らないように接触して、前方下向きの荷重を支持可能な接触部材と、
パット練習用のボールを載置する位置の周囲に間隔をあけて立設される複数の脚を有し、接触部材を、パット練習用の視界および動作を遮らないように、練習者の前方下側から支持する支持体とを、
含むことを特徴とするパット練習用支持具。
【請求項２】
前記接触部材は、前記練習者の胸にのみ接触し、
前記支持体が前記接触部材を支持する部分は、ボールジョイントを備え、支持する角度が変更可能であることを特徴とする請求項１記載のパット練習用支持具。
【請求項３】
前記支持体の複数の脚は、前記練習者の前方の左右両側に、前記パット練習用の動作を許容する間隔をあけるように、２群に分離して立設され、
前記接触部材は、両群の脚から、該パット練習用の動作を行う両腕よりも上方を通るように延出する部分で支持されることを特徴とする請求項１または２記載のパット練習用支持具。
【手続補正２】
【補正対象書類名】明細書
【補正対象項目名】０００７
【補正方法】変更
【補正の内容】
【０００７】
本発明は、ゴルフのパットを練習する際に、練習者を支えるパット練習用支持具であって、
前傾姿勢をとる練習者の上体の前面側の少なくとも一部に、パット練習用の視界および動作を遮らないように接触して、前方下向きの荷重を支持可能な接触部材と、
パット練習用のボールを載置する位置の周囲に間隔をあけて立設される複数の脚を有し、接触部材を、パット練習用の視界および動作を遮らないように、練習者の前方下側から支持する支持体とを、
含むことを特徴とするパット練習用支持具である。
【手続補正３】
【補正対象書類名】明細書
【補正対象項目名】０００８
【補正方法】変更
【補正の内容】
【０００８】
また本発明で、前記接触部材は、前記練習者の胸にのみ接触し、
前記支持体が前記接触部材を支持する部分は、ボールジョイントを備え、支持する角度が変更可能であることを特徴とする。
【手続補正４】
【補正対象書類名】明細書
【補正対象項目名】０００９
【補正方法】変更
【補正の内容】
【０００９】
また本発明で、前記支持体の複数の脚は、前記練習者の前方の左右両側に、前記パット練習用の動作を許容する間隔をあけるように、２群に分離して立設され、
前記接触部材は、両群の脚から、該パット練習用の動作を行う両腕よりも上方を通るように延出する部分で支持されることを特徴とする。
【手続補正５】
【補正対象書類名】明細書
【補正対象項目名】００１０
【補正方法】変更
【補正の内容】
【００１０】
本発明によれば、ゴルフのパットを練習する際に、前傾姿勢をとる練習者が接触部材に上体の一部を接触させて、前方下向きの荷重を支持させれば、練習者の腰などへの負担を軽減することができる。接触部材は、パット練習用の視界および動作を遮らないように、支持体によって支持されるので、充分な時間をかけて練習を行うことが可能になる。支持体は、パット練習用のボールを載置する位置の周囲に間隔をあけて立設される複数の脚を有するので、パット練習時の練習者の上体を、正面側の下方から支えることができる。
【手続補正６】
【補正対象書類名】明細書
【補正対象項目名】００１１
【補正方法】変更
【補正の内容】
【００１１】
また本発明によれば、接触部材を支持体で支持する角度がボールジョイントで変更可能であるので、パットのスイング動作に合わせて、接触部材が練習者の上体を支える角度を変更することができ、円滑に練習を続けることができる。接触部材は、練習者の胸にのみ接触するので、パット練習用の視界および動作を遮らないで支持を行うことができる。
【手続補正７】
【補正対象書類名】明細書
【補正対象項目名】００１２
【補正方法】変更
【補正の内容】
【００１２】
また本発明によれば、ボールの周囲から、パット練習用の動作を行う両腕よりも上方を通って、パット練習時の練習者の上体を支えることができる。
【手続補正８】
【補正対象書類名】明細書
【補正対象項目名】００１８
【補正方法】変更
【補正の内容】
【００１８】
以上のようなパット練習支持具１は、支持体１０の脚１２の下端を練習を行う面上に接地させているけれども、下端を練習を行う面に差込むようにすれば、脚１２の本数を減らすこともできる。脚１２の本数は、接地するだけであるなら３本以上必要であるけれども、練習を行う面に差込めば、脚１２を２本以下に減らすこともできる。
【手続補正書】
【提出日】平成19年12月14日(2007.12.14)
【手続補正１】
【補正対象書類名】特許請求の範囲
【補正対象項目名】請求項１
【補正方法】変更
【補正の内容】
【請求項１】
ゴルフのパットを練習する際に、練習者を支えるパット練習用支持具であって、
前傾姿勢をとる練習者の胸に接触し、パット練習用の視界および動作を遮らないように、前方下向きの荷重を支持して負担を軽減可能な接触部材と、
パット練習用のボールを載置する位置の周囲に間隔をあけて立設される複数の脚を有し、接触部材を、パット練習用の視界および動作を遮らないように、練習者の前方下側から支持する支持体とを、
含むことを特徴とするパット練習用支持具。
【手続補正２】
【補正対象書類名】明細書
【補正対象項目名】０００７
【補正方法】変更
【補正の内容】
【０００７】
本発明は、ゴルフのパットを練習する際に、練習者を支えるパット練習用支持具であって、
前傾姿勢をとる練習者の胸に接触し、パット練習用の視界および動作を遮らないように、前方下向きの荷重を支持して負担を軽減可能な接触部材と、
パット練習用のボールを載置する位置の周囲に間隔をあけて立設される複数の脚を有し、接触部材を、パット練習用の視界および動作を遮らないように、練習者の前方下側から支持する支持体とを、
含むことを特徴とするパット練習用支持具である。
【手続補正３】
【補正対象書類名】明細書
【補正対象項目名】００１０
【補正方法】変更
【補正の内容】
【００１０】
本発明によれば、ゴルフのパットを練習する際に、前傾姿勢をとる練習者が接触部材に胸を接触させて、前方下向きの荷重を支持させれば、練習者の腰などへの負担を軽減することができる。接触部材は、パット練習用の視界および動作を遮らないように、支持体によって支持されるので、充分な時間をかけて練習を行うことが可能になる。支持体は、パット練習用のボールを載置する位置の周囲に間隔をあけて立設される複数の脚を有するので、パット練習時の練習者の上体を、正面側の下方から支えることができる。
【手続補正４】
【補正対象書類名】明細書
【補正対象項目名】００１９
【補正方法】変更
【補正の内容】
【００１９】
接触部材１１が練習者２の上体を支持する位置は、胸であればよい。
【手続補正書】
【提出日】平成20年8月4日(2008.8.4)
【手続補正１】
【補正対象書類名】特許請求の範囲
【補正対象項目名】請求項１
【補正方法】変更
【補正の内容】
【請求項１】
ゴルフのパットを練習する際に、練習者を支えるパット練習用支持具であって、
前傾姿勢をとる練習者の胸にのみ接触し、パット練習用の視界および動作を遮らないように、前方下向きの荷重を支持して負担を軽減可能な接触部材と、
パット練習用のボールを載置する位置の周囲に間隔をあけて立設される複数の脚を有し、接触部材を、パット練習用の視界および動作を遮らないように、練習者の前方下側から支持する支持体とを、
含むことを特徴とするパット練習用支持具。
【手続補正２】
【補正対象書類名】特許請求の範囲
【補正対象項目名】請求項２
【補正方法】変更
【補正の内容】
【請求項２】
前記支持体が前記接触部材を支持する部分は、ボールジョイントを備え、支持する角度が変更可能であることを特徴とする請求項１記載のパット練習用支持具。
【手続補正３】
【補正対象書類名】明細書
【補正対象項目名】０００７
【補正方法】変更
【補正の内容】
【０００７】
本発明は、ゴルフのパットを練習する際に、練習者を支えるパット練習用支持具であって、
前傾姿勢をとる練習者の胸にのみ接触し、パット練習用の視界および動作を遮らないように、前方下向きの荷重を支持して負担を軽減可能な接触部材と、
パット練習用のボールを載置する位置の周囲に間隔をあけて立設される複数の脚を有し、接触部材を、パット練習用の視界および動作を遮らないように、練習者の前方下側から支持する支持体とを、
含むことを特徴とするパット練習用支持具である。
【手続補正４】
【補正対象書類名】明細書
【補正対象項目名】０００８
【補正方法】変更
【補正の内容】
【０００８】
また本発明で、前記支持体が前記接触部材を支持する部分は、ボールジョイントを備え、支持する角度が変更可能であることを特徴とする。
【手続補正５】
【補正対象書類名】明細書
【補正対象項目名】００１０
【補正方法】変更
【補正の内容】
【００１０】
本発明によれば、ゴルフのパットを練習する際に、前傾姿勢をとる練習者の胸のみへ接触する接触部材による前方下向きの荷重の支持で、練習者の腰などへの負担を軽減することができる。接触部材は、パット練習用の視界および動作を遮らないように、支持体によって支持されるので、充分な時間をかけて練習を行うことが可能になる。支持体は、パット練習用のボールを載置する位置の周囲に間隔をあけて立設される複数の脚を有するので、接触部材を、練習者の正面側の下方から支えることができる。
【手続補正６】
【補正対象書類名】明細書
【補正対象項目名】００１１
【補正方法】変更
【補正の内容】
【００１１】
また本発明によれば、接触部材を支持体で支持する角度がボールジョイントで変更可能であるので、パットのスイング動作に合わせて、接触部材が練習者の上体を支える角度を変更することができ、円滑に練習を続けることができる。